(57)【要約】  第一脚部対及び第二脚部対を有する鋸台であって、第一脚部対と第二脚部対の間に切断対象材料が載置される横部材が少なくとも二つ配置される。切り溝は、連続して配置される横部材間に形成される。鋸を案内するための少なくとも第一ガイドレール及び/又は第二ガイドレールは、切断対象材料の切断時に、鋸が、切り溝を通って少なくとも二つの横部材に保持されている切断対象材料の水平面の下に達するように、鋸台に取り付けられる。【選択図】図１
2015506857.tif 000002
【特許請求の範囲】
【請求項１】
第一脚部対及び第二脚部対を有し、前記第一脚部対と第二脚部対との間に、切断対象材料を載置するための少なくとも二つの横部材が配置される鋸台であって、
各横部材には第一当接部材及び第二当接部材が設けられて、互いにある角度を形成するよう配置され、
前記横部材間に切り溝が形成され、
前記切断対象材料の切断時に、鋸が前記切り溝を通って前記切断対象材料の水平面の下に達するよう、前記鋸のために少なくとも第一ガイドレール及び/又は第二ガイドレールが前記鋸台に取り付けられている、ことを特徴とする鋸台。
【請求項２】
前記第一脚部対の脚部及び前記第二脚部対の脚部は、各脚部対の前記脚部が鋭角を形成するよう取り付けられ、前記脚部対と前記切断対象材料の横部材（２）がフレームに固定されている、請求項１に記載の鋸台。
【請求項３】
四つの床支持部が、前記フレームに固定して取り付けられている、請求項１または２に記載の鋸台。
【請求項４】
四つの高さ調節可能な床支持部が前記フレームに接続されている、請求項１または２に記載の鋸台。
【請求項５】
少なくとも一つの拡張モジュールが、前記鋸台の前記フレームに着脱自在に接続可能である、請求項１〜４のいずれかに記載の鋸台。
【請求項６】
前記拡張モジュールは、二つの剛性床支持部又は二つの高さ調節可能な床支持部を備える、請求項５に記載の鋸台。
【請求項７】
従輪が装着可能であり、前記従輪は、クランクを介して機械的に高さの調節が可能である、請求項１〜６のいずれかに記載の鋸台。
【請求項８】
二つの運転ハンドルが、鋸台の両方の運転方向の前記フレーム上の該当する受け口に取り付け可能である、請求項１〜７のいずれかに記載の鋸台。
【請求項９】
各運転ハンドルは、前記フレームの該当する留め置き位置に嵌め込むことが可能である、請求項８に記載の鋸台。
【請求項１０】
前記第一当接部材及び前記第二当接部材は、前記切断対象材料が滑るのを防ぐため、その支持面上にいくつかの固定部材を有する、請求項１〜９のいずれかに記載の鋸台。
【請求項１１】
前記第一ガイドレールは、前記第一当接部材の後部から前記フレームに取り付けられ、鋸のガイドピンは、前記第一ガイドレールに摺動可能に案内され、前記鋸を留め置く保持フォークが前記第一ガイドレールに取り付けられている、請求項１に記載の鋸台。
【請求項１２】
前記第二ガイドレールは、前記第二当接部材の自由端に設けられた受け口により前記フレームに取り付けられ、前記鋸のガイドピンは、前記第二ガイドレールに摺動可能に案内され、前記鋸を留め置く保持フォークが前記第二ガイドレールに取り付けられている、請求項１に記載の鋸台。
【請求項１３】
揺動装置が、前記第二当接部材の自由端に設けられた受け口により前記フレームに取り付けられ、前記鋸のガイドピンは、前記揺動装置のガイドチャンネルに摺動可能に案内され、前記鋸を留め置く保持フォークが搖動装置に取り付けられている、請求項１に記載の鋸台。
【請求項１４】
前記第一当接部材の自由端及び/又は前記第二当接部材の自由端に少なくとも一つの受け口を有し、木材の保持部材が接続可能である、請求項１に記載の鋸台。
【請求項１５】
各保持部材は、その取り付けのための、前記受け口にぴったり係合される、少なくとも一つのピンを有する、請求項１４に記載の鋸台。
【発明の詳細な説明】
【技術分野】
【０００１】
本発明は鋸台に関し、より詳細には、第一脚部対及び第二脚部対を有し、第一及び第二脚部対の間に、切断対象物を載置するために、少なくとも二つの横部材が設けられている鋸台に関する。
【背景技術】
【０００２】
特許文献１には、短い木材を切断するための摺動可能な複数の補助部品を備える木材用の鋸台が開示されている。これらの補助部品は、一緒に又は独立して左右に移動可能であり、切断対象木材を支持する。鋸のガイドは設けられていない。
【０００３】
特許文献２には、各々ヒンジにより接続されている二組の鋏状脚部を有する折り畳み式の木挽台が開示されている。少なくとも一つの交差接続で、二組の鋏状脚部の脚部間の広げられる距離が設定される。木材又は加工対象物は、広げられた脚部の両端の間から載置される。折り畳み式の木挽台フレームには、三対の脚部が設けられている。
【０００４】
特許文献３には、チェーンソーの取り扱いを容易にすると共に、熟練した安全なやり方で、所定長の材木から様々な一般的なビレット長に薪の切断ができるよう構成された木挽台が開示されている。この木挽台は、二つの堅固な起立横部材及びその中間に配された保持または起立横部材を有する。この起立及び保持横部材は、平行に設けられた交差ブレースによってぴったりと接続されている。起立及び保持横部材のトップビームの少なくとも一方の側の長さは異なり、長いビームと短いビームが交互に配置されている。
【０００５】
特許文献４には、切断対象の木片（例：丸太）の支持部を有する鋸台が開示されている。木片を固定する支持部材がさらに設けられている。この支持部は、いくつかに区分され、わずかに上方に向けられている。支持部の隣接する区分領域の間には凹部が形成されている。これは、丸太の厚さよりも深く切断するためである。木材を切断する際、引っ張らなくても、傾斜した支持部へと木材の一部がゆっくりと下がるようになっている。
【０００６】
特許文献５には、長さが４ｍ以上の木材を安全に切断するために気体ばね張力装置を設けた金属製の鋸台が開示されている。これには、切断対象の木材を載置する四つの相互接続された鋏状木挽台が設けられている。最後から二番目のブラケットに取り付けられた気体ばねがクランプ装置の役を果たしている。このために、可動アームが設けられている。木材は、レバーを下に引くことで堅固に固定される。鋏状木挽台は、接続ピンで折り畳み可能である。
【０００７】
特許文献６には、互いに離間し相互接続された、木材束を積載する少なくとも二つの木挽台部材から成る木挽台が開示されている。二つの木挽台部材はそれぞれ積載された木材を圧縮かつ固定するクランプ装置を有する。この木挽台では、約５乃至２０ｃｍの厚みの木材を重ねて固定し、木材を固定する力を調節することなく、チェーンソー又は他の市販の鋸を使って上から下へと５、６回で切断することが可能である。このように、特に補助を必要とせず、怪我などの深刻なリスクにさらされることなく、作業者が一人で枝、細枝又は幹から薪を切り出すことができる。
【０００８】
特許文献７に、木の幹又は類似の堅木からそれぞれ木材の薄片を切り出すために使用される木挽台が開示されている。この木挽台は、複数のベアリングを有する。各ベアリング間に空き領域が設けられている。ベアリングヘッドにはガイド板が取り付けられ、それぞれ木の幹の左右両側にくるようになっている。ベアリングヘッドのガイド板は、幹の厚さが様々に異なっていても柔軟に固定できるよう、約４５°の角度に向けられ、幹から離れていくように構成されている。
【先行技術文献】
【特許文献】
【０００９】
【特許文献１】ドイツ特許出願ＤＥ２７３５７７７
【特許文献２】ドイツ特許ＤＥ３１３４８５４Ｃ２
【特許文献３】ドイツ特許ＤＥ１０００６７６１Ｃ２
【特許文献４】ドイツ実用新案ＤＥ２０１０７９７３Ｕ１
【特許文献５】ドイツ実用新案ＤＥ２０２１３４８３Ｕ１
【特許文献６】ドイツ実用新案ＤＥ２９６０３６４５Ｕ１
【特許文献７】ドイツ実用新案ＤＥ２０２００４００５１２４Ｕ１
【発明の概要】
【００１０】
本発明の目的は、多種多様な切断対象材料を切断可能な鋸台であって、使用者が切断作業を安全かつ問題なく行える鋸台を提供することにある。
【００１１】
上記の目的は、請求項１の特徴を有する鋸台によって達成される。
【００１２】
本発明では、各横部材は、互いに対して所定角度を形成するように配置されている第一当接部材と第二当接部材とを有する。上記横部材の間に切り溝が形成されている。切断作業を容易にするために、少なくとも第一ガイドレール及び/または第二ガイドレールが、切断対象材料の切断時に鋸が切り溝を通って切断対象材料の水平面の下に達するように、鋸台に取り付けられている。
【００１３】
第一ガイドレールは、後部のフレームに取り付けられる。安全な切断のため、鋸にガイドピンが取り付けられており、そのガイドピンが第一ガイドレール内で摺動可能に案内される。第一ガイドレールには、切断作業後に鋸を留め置くことができる保持フォークが設けられている。第二ガイドレールは、第二当接部材の後部で、フレームに取り付けられている。鋸に接続されたガイドピンが、第二ガイドレール内で摺動可能に案内される。第二ガイドレールには保持フォークが取り付けられ、ここに鋸が留め置かれる。
【００１４】
さらに、第二当接部材の自由端にあるフレームの受け口に揺動装置を取り付けることができる。鋸に接続されたガイドピンは、揺動装置のガイドチャンネルに摺動可能に案内される。揺動装置上には、鋸が留め置かれる保持フォークが設けられている。
【００１５】
第一当接部材の自由端及び/又は第二当接部材の自由端に、切断対象部材又は木材を保持するための保持部材が接続可能な受け口が少なくとも一つ設けられている。各保持部材は、受け口への取り付けのため、受け口とぴったり係合する、少なくとも一つのピンが設けられる。
【００１６】
第一脚部対及び第二脚部対の脚部は、それぞれ堅固に接続され、各脚部対の脚部が鋭角を形成して配置される。二組の脚部対と切断対象片を載置する横部材は、鋸台のフレームに堅固に固定されている。鋸台のフレームは、高さが調節されない四つの剛性床保持部と結合可能である。床保持部は、鋸台が容易に移動可能となるよう、対向する端部に取り付けられる摺動部を有する。本発明の他の実施形態によれば、四つの床支持部の高さは調節可能である。これにより、平らでない地面上で、高さを均等にして鋸台を設置することができる。
【００１７】
少なくとも一つの拡張モジュールが、鋸台のフレームに着脱可能に接続される。拡張モジュールの種類に応じ、二つの高さ調節ができない剛性床支持部又は二つの高さ調節可能な床支持部が取り付けられる。
【００１８】
鋸台の使い勝手を向上させるため、鋸台に車輪を装着することができる。この車輪は、機械的なクランクによって高さを調節することができる。同様に、二つの運転ハンドルを両方の移動方向のフレームの該当するスロットに嵌め込むことができる。この運転ハンドルは、フレーム上の適正な位置に留め置かれ、鋸台の使用時に作業を妨げることがない。
【００１９】
第一及び第二当接部材は、切断対象材料が滑ることがないよう、切断対象材料を固定する固定部材をいくつか有している。
【００２０】
本発明の多機能鋸台の基本概念は、作業長が異なるいくつかの変形モデルへ展開できることである。「ビギナー」モデルの作業長は８００ｍｍ、「標準」モデルは１０００ｍｍ、「プロフェッショナル」モデルは１３００ｍｍである。例えば、切断対象が薪（最大径：３３ｃｍ）又は他の材料の場合、切断対象材料の支持部は、角型の筒部材から成る頑丈なフレームに溶接された横部材を有する。横部材の幅はそれぞれ異なり、切り溝により離間している（幅：約１０ｃｍ）。ユーザは、電動チェーンソー又は電動鋸を使用して、上から垂直に切断対象材料を切断できる。切断は切り溝のうちの一つに向けて行われる。切り溝は、ユーザが切断対象材料を完全に切断し、鋸が横部材の水平面のかなり下の部分を通過するよう構成されている。
【００２１】
切断作業の前後において切断対象である木材や材料が鋸台から落下することがないように、横部材からなる支持部の両側に、矩形の筒から成る保持部材が設けられている。これらの保持部材は、鋸台のフレームに取り付けられる。保持部材は、任意に配置することができ、それぞれの横部材の支持面下に留め置くこともできる。従って、これらの部材は常に鋸台上で使用可能で、またボルトで固定できるので、なくなることもない。保持部材は、薪の束だけでなく、枝、丸太又は板にも適している。本発明の鋸台は、湾曲した形状のものでも対応可能である。ツイストロックは、特に丸太の切断時に丸太の向きが変わるのを防ぐ。さらに、切断された木材はそのまま一括して鋸台に留まり、鋸台からまとめて取り除くことができる。
【００２２】
ユーザが、フリーハンドで切断しなくてもよいように、鋸は、鋸台のフレームに取り付けられた少なくとも一つのガイドレールと共に使用される。従って、鋸の傾きや横部材の切断を防ぐことができる。ガイドレールが僅かに内側に傾くことで、切断作業を容易にし、自然な切断動作を支援する。例えばチェーンソーのチェーンカバーナットのようなガイドピンにより、ガイドレール内でチェーンソーに必要な案内がなされる。
【００２３】
別の利点は、ガイドレールにより、切り溝の位置にある各切断箇所が示される点にある。取り付けられたガイドレールは、正しい切断位置を明確かつ間違いなく指し示す。より良好に区別するため、例えば鋸台の着脱可能な部品など、接続可能な部品はすべてオレンジの目立つ色で塗られる。さらに各切断後、鋸をガイドレールの下流に接続された保持部材に留め置くことができ、鋸は決められた位置に配置される。
【００２４】
鋸台を容易に移動できるように、機械的なクランクで高さを調節可能な車輪から成るシャーシが設けられている。車輪の高さを調節し、地面からの高さが２５ｃｍまでとされる。車輪は、鋸台の両側に取り付けることができる。また、二つのハンドルをいずれかの運転方向に取り付けることができ、そして鋸台のフレーム上に留め置くことができる。
【００２５】
鋸台の長さは、拡張モジュールで延ばすことができる。各拡張モジュールは、拡張される鋸台に対して少なくとも三つのコネクタで取り付け可能である。また、鋸台に、地面形状が不均一のときに高さ調節ができるように高さ調節可能な四つの床支持部を設けることも可能である。弓鋸を使って、純粋に手動で切断することも可能である。切断作業時にガイドレールの一つによって弓鋸を案内することができる。
【００２６】
本発明のさらなる利点及び有益な実施形態は、以下の図面及び付随の説明により明らかとなる。
【図面の簡単な説明】
【００２７】
【図１】本発明に係る鋸台の実施形態の側面図である。
【図２】図１が示す本発明に係る鋸台の実施形態の平面図である。
【図３】本発明に係る鋸台の側面図である。
【図４】図１が示す鋸台の別の実施形態の側面図であり、拡張モジュールが備えられている例を示す。
【図５】本発明に係る鋸台の別の実施形態の側面図である。
【図６】図５が示す本発明に係る鋸台の実施形態の平面図である。
【図７】本発明に係る鋸台のさらに別の実施形態の側面図である。
【図８】図７が示す本発明に係る鋸台の実施形態の平面図である。
【図９】図５が示す本発明に係る鋸台の実施形態の平面図であり、拡張モジュールが備えられている例を示す。
【図１０】図７が示す本発明に係る鋸台の実施形態の平面図であり、拡張モジュールが備えられている例を示す。
【図１１】車輪及び運転ハンドルを備える、本発明に係る鋸台の実施形態の側面図である。
【図１２】図１１が示す本発明に係る鋸台の実施形態の平面図である。
【図１３】鋸台の、運転ハンドルが取り付けられる側面の正面図である。
【図１４】鋸台の、車輪が取り付けられている側面の正面図である。
【図１５】移動型鋸台の別の実施形態の平面図であり、鋸台を拡張する二つの拡張モジュールが備えられている例を示す。
【図１６】切断対象材料を保持しかつ固定する保持部材を備えた、本発明に係る鋸台の車輪が取り付けられている側面の正面図である。
【図１７】鋸台に切断対象材料が保持されている、図１６が示す本発明に係る鋸台の車輪が取り付けられている側面の正面図である。
【図１８】本発明に係る鋸台の車輪が取り付けられている側面の正面図であり、切断対象材料が丸太である例を示す。
【図１９】図１８が示す鋸台の側面図であり、積載された丸太材が数箇所で切断される例を示す。
【図２０】鋸の別の取付け例を示す。
【図２１】積載された丸太材を切断後の鋸の位置を示す。
【図２２】本発明に係る鋸台に追加鋸台を取り付ける例示す。
【図２３】鋸台に取り付け可能な鋸の揺動装置を示す。
【図２４】鋸台に取り付け可能な木材保持フォークをさらに示す。
【図２５】鋸台の揺動装置と留め置き位置にある鋸とを示す。
【図２６】鋸台の第一ガイドレールにより案内される手鋸を示す。
【図２７】いろいろな取り付けブラケットに鋸が留め置かれている鋸台の側面図である。
【図２８】鋸台に積載された圧縮小枝を示す。
【図２９】高さ調節可能な床支持部を示す。
【図３０】鋸台の、高さ調節可能な従輪を示す。
【図３１】第一ガイドレールの側面図である。
【図３２】第一ガイドレールの平面図である。
【図３３】第二ガイドレールの側面図である。
【図３４】第二ガイドレールの平面図である。
【図３５】ガイドピンの側面図である。
【図３６】ガイドピンの正面図である。
【図３７】揺動装置の側面図である。
【図３８】取り付け可能な追加鋸台の側面図である。
【図３９】木材保持フォークの側面図である。
【図４０】切断対象材料の保持部材の実施形態の側面図である。
【図４１】取り付け可能な、切断対象材料の保持部材の別の実施形態の側面図である。
【発明を実施するための形態】
【００２８】
本発明における同一又は同等の部材には、同じ参照番号が付けられている。ここに示す実施形態は、鋸台（多機能鋸台）の例として示すものであり、ここに示す実施形態が、本発明に係る鋸台を実施するためのさまざまな方法から選択したものであることは、当業者にとって自明である。さらに鋸台には、その適用範囲を広げる他の様々な付属部品を備えることができる。
【００２９】
本発明の実施形態である鋸台１００の側面図である図１が示すように、この鋸台１００は、第一脚部対１０と第二脚部対２０とを含む。第一脚部対１０と第二脚部対２０は、フレーム８に堅固に接続されている。第一脚部対１０と第二脚部対２０の間には、少なくとも二つの横部材２が備えられ、その上に切断対象材料３（図１８を参照）が載置される。横部材２は、切り溝６によって隔てられている。鋸４０は切り溝６を通り、少なくとも二つの横部材２の上及び/又は横部材２に位置する切断対象材料３の水平面Ｎの下に到達する。
【００３０】
図２は、図１が示す本発明に係る鋸台１００の実施形態の平面図である。各横部材２は、いずれも実質的に平面状である第一当接部材４及び第二当接部材５を含む。第一当接部材４及び第二当接部材５は、図３が示すように、互いに角度αを形成するよう配置されている。
【００３１】
図１、図２及び図３において、鋸４０の第一ガイドレール７（例：図１８を参照）は、切断対象材料３の切断時に鋸４０が切り溝６を通って案内されるように、鋸台１００に取り付けられる。鋸４０は、切断対象材料３の水平面Ｎの下に達する。第一ガイドレール７はそれぞれ第一当接部材４の後部でフレーム８に取り付けられ、固定される。第一ガイドレール７には、鋸４０を留め置くことができる保持フォーク２８が取り付けられる。図３は、第二脚部対２０を示す。第二脚部対２０の脚部２１は、鋭角βを形成するように配置されている。二つの運転ハンドル１８は、フレーム８上の適切な留め置き位置１９に嵌め込まれる。ここに示されている実施形態において、鋸台１００のフレーム８は四つの剛性床支持部１３を有する。床支持部１３の高さは調節できない。床支持部１３の床係合端は滑り板形状のため、鋸台１００は床や地面を容易に移動可能である。切断対象材料３が載置される第一当接部材４及び/又は第二当接部材５の側には、固定部材２５が取り付けられている。固定部材２５は、切断作業時に切断対象材料３が滑るのを防ぐ。
【００３２】
図４は、拡張モジュール３０が関連づけられている、本発明に係る鋸台１００の側面図である。拡張モジュール３０は、各自由端８Ｅにコネクタ１２が形成されているフレーム８を有し、そのコネクタ１２が鋸台１００側のフレーム８の該当する受け口８Ａ（例：図３を参照）にぴったり係合する。拡張モジュール３０は、例えば従来の安全ピンを用いて鋸台１００に固定可能である。拡張モジュール３０には、横部材２が取り付けられている。同様に、第一ガイドレール７が備えられ、これは切り溝６と交わっている。各拡張モジュール３０は、二つの床支持部１３を有し、ここに記載される実施形態では、剛性床支持部１３として形成されている。横部材２は、保持部材４２（図４０及び４１を参照）を取り付ける受け口３３を有する。
【００３３】
図５は、本発明に係る鋸台１００の別の実施形態の側面図である。鋸台１００は、三つの横部材２を有し、これらは鋸台１００のフレーム８に取り外せないように固定されている。上述の実施形態で既に説明したように、切り溝６が、横部材２の間に形成されている。各切り溝６は、第一ガイドレール７と交わっている。図６は、本発明に係る鋸台１００のさらに別の実施形態の平面図である。この図では、この実施形態が、四つの床支持部１３を有し、剛性フレーム８が横部材２及び第一ガイドレール７とを支えていることを示す。
【００３４】
図７及び図８は、本発明に係る鋸台１００の別の実施形態を示す。この鋸台１００は、四つの横部材２を有し、これらの部材は鋸台１００のフレーム８に固定されている。横部材２の間に切り溝６が形成されている。第一ガイドレール７は、それぞれ切り溝６と交わっている。図８の平面図は、四つの床支持部１３を有する、本発明に係る鋸台１００のさらに別の実施形態を示す。剛性フレーム８は、四つの横部材２及び三つの第一ガイドレール７を支える。
【００３５】
図９は、図５が示す、本発明に係る鋸台１００の実施形態の平面図であり、長さを延ばすため、複数の拡張モジュール３０が着脱自在に鋸台１００に接続できる。図４において既に記載したように、横部材２が各拡張モジュール３０上に取り付けられている。同様に、第一ガイドレール７が設けられ、各拡張モジュール３０の切り溝６に割り当てられている。拡張モジュール３０の各々は、本実施形態において剛性床支持部１３として形成されている二つの床支持部１３を有する。
【００３６】
図１０は、図７が示す、本発明に係る鋸台１００の実施形態の平面図である。鋸台１００の長さを延ばすため、複数の拡張モジュール３０が着脱自在に接続される。拡張モジュール３０の構造は、図４及び９において記載されたものと類似している。従って、説明やさらなる参照符号を省略する。
【００３７】
図１１、図１２、図１３及び図１４は、移動型の鋸台１００の実施形態をそれぞれ示す図である。ここに示す鋸台１００の構造は、図１で記載した鋸台１００と同じである。移動を容易にするため、鋸台１００に従輪１５を取り付けることができる。この従輪１５は、クランク１７により、機械的に高さを調節できる。同様に、運転ハンドル１８も設けられており、ユーザは、これにより鋸台１００を別の地点へと移動させることができる。運転ハンドル１８及び従輪１５は、フレーム８と接続が可能である。フレーム８には、運転ハンドル１８及び従輪１５が係止される受け口８Ａが形成されている。このフレーム８に、四つの高さ調節可能な床支持部１４が接続される。床支持部１４の調節は、クランク１７によって行われる。
【００３８】
図１５は、本発明に係る移動型の鋸台１００の別の実施形態の上面図である。この鋸台１００は、図８が示す鋸台１００と構造的に類似している。鋸台１００の長さを延ばすため、二つの拡張モジュール３０が用意されている。拡張モジュール３０と鋸台１００との接続については、既に説明されている。運転ハンドル１８は、着脱自在に鋸台１００と接続される。このために、各運転ハンドル１８には、コネクタ１２が形成されている。従輪１５は、一連の拡張モジュール３０の最後の拡張モジュール３０に接続されている。
【００３９】
図１６及び図１７は、本発明に係る鋸台１００の従輪が取り付けられた側面の正面図であり、鋸台１００に載置される切断対象材料３の量を増やすために保持部材４２が取り付けられている。保持部材４２は切断対象材料３の載置量を増やすと同時に、切断対象材料の落下を防止し固定する働きをする。少なくとも一つの保持部材４２が第一当接部材４の自由端３４に取り付けられ、少なくとも一つの別の保持部材４２が第二当接部材５の自由端３６に接続される。これを実現するため（例：図１１を参照）、保持部材４２と係合する少なくとも一つの受け口３７が設けられている。切断対象材料３を鋸台１００上により良好に固定するため、切断対象材料３の積載束上に広げることのできる、少なくとも一つの弾性部材４６が備えられる。
【００４０】
図１８は、積み重ねられた切断対象材料３が載置された、本発明に係る鋸台１００の従輪が取り付けられた側面の正面図である。積み重ねられた材料３は丸太である。第一当接部材４と第二当接部材５とには、それぞれ保持部材４２が割り当てられる。ガイドレール７に案内される鋸４０は、積み重ねられた木材の切断用のチェーンソーである。切断作業の後、チェーンソー４１の刃の少なくとも一部が、第二当接部材５の水平面Ｎの下に位置する。図１８の側面図を図１９に示す。積み重ねられた丸太が数箇所で切断される様子が示されている。複数の保持部材４２は、積み重ねられた木材を数箇所で固定する役を果たす。切断箇所６Ｓは切り溝６に位置し、鋸４０のガイドレール７に隣接している。従って切断された積み重ねられた木材は、切断後もそのまま鋸台１００上に維持される。
【００４１】
図２０は、鋸４０を鋸台１００へ取り付けるさらに別の例を示す。鋸４０は第二ガイドレール９で案内される。第二ガイドレール９は、第二当接部材５の自由端３６にて受け口３３によりフレーム８に取り付けることができ、所定位置に固定可能である。鋸４０による切断作業後の状態を図２１に示す。ガイドピン（図示せず）が鋸４０に接続されていて、第二ガイドレール９内にて摺動自在に案内される。第二ガイドレール９は、積み重ねられ材木の切断後に鋸４０を留め置く保持フォーク２９を有する。
【００４２】
図２２は、本発明に係る鋸台１００にさらに追加鋸台２７を設けた例を示す。追加鋸台２７は、第一当接部材４に接続される。切断対象材料３は、既に追加鋸台２７に載置されている。第二当接部材５には、保持部材４２が取り付けられている。保持部材４２は停止部４３を有し、保持部材４２上にいくつかの木片を留め置き、一つ一つ切断のために追加鋸台２７へ移すことができる。
【００４３】
図２３は、鋸４０の揺動装置３２を示す。揺動装置３２は、鋸台１００の第二当接部材５に取り付けられている。切断対象材料３は、第一当接部材４及び第二当接部材５に支えられている。揺動装置３２及び固定ピン４８により、油圧又は空圧モータで駆動される鋸４０による安全な切断作業が確保される。材料３は切断後、鋸台１００上にそのまま維持され、滑り落ちることが回避される。
【００４４】
図２４は、鋸台１００に取り付けることができる別の木材保持フォーク５０を示す。鋸４０の揺動装置３２は、第二当接部材５に取り付けられる。木材保持フォーク５０は、載置された切断対象材料３を固定する。揺動装置３２は、鋸４０を案内する。
【００４５】
図２５は、揺動装置３２の留め置き位置５２にある鋸４０を示す。留め置き位置５２は、さらなる切断作業のため、鋸４０を容易に取り外せるように構成されている。鋸４０は、鋸台１００に直接留め置いてもよい。
【００４６】
図２６は、鋸４０が手鋸であることを示す。この手鋸は、鋸台１００の第一ガイドレール７により案内される。ここで、切断対象材料３は、追加鋸台２７に載置されている。
【００４７】
図２７は、本発明に係る鋸台１００の一実施形態の側面図である。鋸台１００は、手動で操作するいろいろな鋸４０を留め置くための様々の保持ブラケット５４を有する。機械的な手鋸を簡単に取り外すことができるので、様々な種類の木材にそれぞれ適した鋸４０を常にすぐ手の届く所に置くことができる。留め置いている鋸４０が、切断作業の流れを邪魔することはない。
【００４８】
図２８は、鋸台１００に取り付けられた加圧部材６０を示す。ロッククランプ６２により、切断対象材料３（細枝）が互いに押し付けられてひとかたまりになる。
【００４９】
図２９は、高さ調節可能な床支持部１４の拡大図である。調節可能な床支持部１４の実施形態は、縦スロット５６を有し、ピン５８が摺動可能に案内される。クランク１７により、床支持部１４の高さが調節可能である。縦スロット５６内をピン５８が摺動するので、クランク１７に対向する床支持部１４の端部でベース５７が回転することはない。同様に、図３０が詳細に示す従輪１５も高さ調節が可能である。従輪１５は、フォーク７０を介して支持体７２に取り付けられる。クランク１７を介し、従輪１５の高さ調節が可能である。支持体７２にピン４４が取り付けられ、これが鋸台１００のフレーム８の受け口２３に係合する。
【００５０】
図３１及び図３２は、それぞれ第一ガイドレール７を示す図である。第一ガイドレール７は様々な方法で本発明に係る鋸台１００に取り付けることができる。第一ガイドレール７は、鋸台１００への取り付け部となるコネクタ１２を有する。保持フォーク２８は、様々な鋸４０の留め置きに使用される。
【００５１】
図３３及び図３４は、それぞれ第二ガイドレール９を示す図である。第二ガイドレール９は様々な方法で本発明に係る鋸台１００に取り付けることができる。第二ガイドレール９は、鋸台１００の第二当接部材５への取り付け部となるコネクタ１２を有する。保持フォーク２９は、様々な鋸４０の留め置きに使用される。
【００５２】
図３５及び図３６は、それぞれガイドピン２５を示す図である。ガイドピン２５は、油圧又は空圧モータで駆動される鋸４０と共に使用される。ガイドピン２５は、第一ガイドレール７又は第二ガイドレール９内で摺動するよう構成されている。従ってガイドピン２５には、径方向周縁に溝７４が形成されており、第一ガイドレール７又は第二ガイドレール９での確実な移動が可能となる。同様に、ガイドピン２５にはレンチ７６の受け口が形成され、鋸４０に着脱可能に固定される。
【００５３】
図３７は、接続可能な揺動装置３２の側面図である。この揺動装置３２は、油圧または空圧モータで駆動される鋸４０を留め置く揺動ホルダー８０を有する。切断作業時の揺動ホルダー８０への鋸４０の固定は、固定ピン７８により行われる。揺動装置３２のガイドチャンネル８２により、油圧又は空圧モータで駆動される鋸４０による切断作業が確実に行われる。停止部８４は、切断作業を制限する働きをする。ブラケットホルダー８６に、油圧又は空圧モータで駆動される鋸４０を留め置くことができる。揺動装置３２は、コネクタ１２により鋸台１００に取り付けられる。
【００５４】
図３８は、追加鋸台２７の側面図である。切断対象材料３が載置される追加鋸台２７側には、固定部材２５が設けられている。固定部材２５は、切断対象材料３が滑るのを防ぐ。コネクタ１２が、鋸台１００のフレーム８の該当する受け口２３に係合し、追加鋸台２７が鋸台１００にしっかりと取り付けられる。さらに追加鋸台２７は、ハンドル８７及びサスペンションブラケット８８を有する。
【００５５】
図３９は、支持管９０を介し鋸台１００にボルトで固定された木材保持フォーク５０の側面図である。切断対象材料３は、切断作業時に木材保持フォーク５０に安全に固定される。
【００５６】
図４０及び図４１は、それぞれ鋸台１００に取り付け可能な保持部材４２の実施形態を示す図である。ここに示す保持部材４２は、一つの選択肢であり、本発明を限定するものではない。保持部材４２が様々な構成をとることは、当業者にとっては自明である。本発明では、各保持部材４２が、鋸台１００の対応する受け口３７と係合する、少なくとも一つのピン４４を有することが重要である。図４１が示す保持部材４２は、機械鋸用の保持ブラケット５４を有している。
【００５７】
本発明を、好ましい実施形態について説明してきた。以下の特許請求の範囲から逸脱しない限り、いかなる修正や変更も可能なことは、当業者にとって自明である。
【符号の説明】
【００５８】
２    横部材
３    切断対象材料
４    第一当接部材
５    第二当接部材
６    切り溝
６Ｓ  切断箇所
７    第一ガイドレール
８    フレーム
８Ａ  受け口
８Ｅ  自由端
９    第二ガイドレール
１０  第一脚部対
１１  脚部
１２  コネクタ
１３  床支持部
１４  床支持部
１５  従輪
１７  クランク
１８  運転ハンドル
１９  留め置き位置
２０  第二脚部対
２１  脚部
２３  受け口
２４  支持面
２５  固定部材
２６  ガイドピン
２７  追加鋸台
２８  保持フォーク
２９  保持フォーク
３０  拡張モジュール
３２  揺動装置
３３  受け口
３６  自由端
３７  受け口
４０  鋸
４１  チェーンソー
４２  保持部材
４３  停止部
４４  ピン
４６  弾性部材
４８  固定ピン
５０  木材保持フォーク
５４  保持ブラケット
５６  縦スロット
５７  ベース
５８  ピン
６０  加圧部材
６２  ロッククランプ
７０  フォーク
７２  支持体
７４  溝
７６  受け口
７８  固定ピン
８０  揺動ホルダー
８２  ガイドチャネル
８４  停止部
８６  
８７  ハンドル
８８  サスペンションブラケット
９０  支持管
１００  鋸台
α    角度
β    角度
Ｎ    水平面
【図１】
2015506857.tif 000003
【図２】
2015506857.tif 000004
【図３】
2015506857.tif 000005
【図４】
2015506857.tif 000006
【図５】
2015506857.tif 000007
【図６】
2015506857.tif 000008
【図７】
2015506857.tif 000009
【図８】
2015506857.tif 000010
【図９】
2015506857.tif 000011
【図１０】
2015506857.tif 000012
【図１１】
2015506857.tif 000013
【図１２】
2015506857.tif 000014
【図１３】
2015506857.tif 000015
【図１４】
2015506857.tif 000016
【図１５】
2015506857.tif 000017
【図１６】
2015506857.tif 000018
【図１７】
2015506857.tif 000019
【図１８】
2015506857.tif 000020
【図１９】
2015506857.tif 000021
【図２０】
2015506857.tif 000022
【図２１】
2015506857.tif 000023
【図２２】
2015506857.tif 000024
【図２３】
2015506857.tif 000025
【図２４】
2015506857.tif 000026
【図２５】
2015506857.tif 000027
【図２６】
2015506857.tif 000028
【図２７】
2015506857.tif 000029
【図２８】
2015506857.tif 000030
【図２９】
2015506857.tif 000031
【図３０】
2015506857.tif 000032
【図３１】
2015506857.tif 000033
【図３２】
2015506857.tif 000034
【図３３】
2015506857.tif 000035
【図３４】
2015506857.tif 000036
【図３５】
2015506857.tif 000037
【図３６】
2015506857.tif 000038
【図３７】
2015506857.tif 000039
【図３８】
2015506857.tif 000040
【図３９】
2015506857.tif 000041
【図４０】
2015506857.tif 000042
【図４１】
2015506857.tif 000043
【国際調査報告】
2015506857.tif 000044
2015506857.tif 000045
2015506857.tif 000046
2015506857.tif 000047
2015506857.tif 000048
2015506857.tif 000049